(57)【要約】【課題】ユーザの操作性を向上させ、グラフの詳細を簡易に確認できるようにする。【解決手段】管理対象において使用されるエネルギーの管理項目を第１の観点から分けた分類を第１の分類（エネルギーの種別）、第２の観点から分けた分類を第２の分類（区画）、第３の観点から分けた分類を第３の分類（エネルギー用途）とする。第１の分類に属するエネルギーの管理項目と、第２の分類に属するエネルギーの管理項目と、第３の分類に属するエネルギーの管理項目とで特定される管理対象におけるエネルギーの計測対象を要素とし、この要素毎のエネルギーの使用量に関するデータをデータ記録装置２００に保存する。表示対象の条件（エネルギーの種別）が指定された場合、データ記録装置２００に保存されている要素毎のデータの内、指定された表示対象の条件により特定される複数組のデータ群（電気、水、油、ガス）のそれぞれを単位期間毎に集計し、時系列データとして識別可能に表示（積層表示）する。【選択図】  図１０
2018049509.tif 000002
【特許請求の範囲】
【請求項１】
管理対象において使用されるエネルギーの管理項目を、少なくとも、第１の観点から分けた分類を第１の分類、第２の観点から分けた分類を第２の分類、第３の観点から分けた分類を第３の分類とし、前記第１の分類に属するエネルギーの管理項目と前記第２の分類に属するエネルギーの管理項目と前記第３の分類に属するエネルギーの管理項目とで特定される前記管理対象におけるエネルギーの計測対象を要素とし、この要素毎に保存されているエネルギーの使用量に関するデータをデータ記録装置から読み出し、その読み出したデータを処理してグラフ表示するグラフ表示装置であって、
表示対象の条件が指定された場合、前記データ記録装置に保存されている前記要素毎のデータの内、前記指定された表示対象の条件により特定される複数組のデータ群のそれぞれを単位期間毎に処理し、この単位期間毎に処理した複数組のデータ群を時系列データとして識別可能にグラフ表示するグラフ表示手段
を備えることを特徴とするグラフ表示装置。
【請求項２】
請求項１に記載されたグラフ表示装置において、
前記グラフ表示手段は、
前記表示対象の条件として前記第１の分類が指定された場合、前記データ記録装置に保存されているデータの内、前記第１の分類に属するエネルギーの管理項目毎のデータ群を単位期間毎に処理し、この単位期間毎に処理した複数組のデータ群を時系列データとして識別可能にグラフ表示し、
前記表示対象の条件として前記第２の分類が指定された場合、前記データ記録装置に保存されているデータの内、前記第２の分類に属するエネルギーの管理項目毎のデータ群を単位期間毎に処理し、この単位期間毎に処理した複数組のデータ群を時系列データとして識別可能にグラフ表示し、
前記表示対象の条件として前記第３の分類が指定された場合、前記データ記録装置に保存されているデータの内、前記第３の分類に属するエネルギーの管理項目毎のデータ群を単位期間毎に処理し、この単位期間毎に処理した複数組のデータ群を時系列データとして識別可能にグラフ表示する
ことを特徴とするグラフ表示装置。
【請求項３】
請求項２に記載されたグラフ表示装置において、
前記第１の分類は、
前記管理対象で使用されるエネルギーの種別とされ、
前記第２の分類は、
前記管理対象における区画とされ、
前記第３の分類は、
前記管理対象で使用されるエネルギーの用途とされている
ことを特徴とするグラフ表示装置。
【請求項４】
請求項１〜３の何れか１項に記載されたグラフ表示装置において、
前記グラフ表示手段は、
前記単位期間毎に処理した複数組のデータ群を時間軸とデータ軸とで示される直交平面上にデータ軸方向に積層したグラフとして表示する
ことを特徴とするグラフ表示装置。
【請求項５】
管理対象において使用されるエネルギーの管理項目を、少なくとも、第１の観点から分けた分類を第１の分類、第２の観点から分けた分類を第２の分類とし、前記第１の分類に属するエネルギーの管理項目と前記第２の分類に属するエネルギーの管理項目とで特定される前記管理対象におけるエネルギーの計測対象を要素とし、この要素毎に保存されているエネルギーの使用量に関するデータをデータ記録装置から読み出し、その読み出したデータを処理してグラフ表示するグラフ表示方法であって、
表示対象の条件が指定された場合、前記データ記録装置に保存されている前記要素毎のデータの内、前記指定された表示対象の条件により特定される複数組のデータ群のそれぞれを単位期間毎に処理し、この単位期間毎に処理した複数組のデータ群を時系列データとして識別可能にグラフ表示するグラフ表示ステップ
を備えることを特徴とするグラフ表示方法。
【発明の詳細な説明】
【技術分野】
【０００１】
本発明は、電気やガスなどのエネルギーの使用量をグラフ表示するグラフ表示装置および表示方法に関する。
【背景技術】
【０００２】
従来より、工場やプラントなどの施設では、その施設内でのエネルギーの使用量を管理するエネルギー管理システムが用いられている。
【０００３】
このエネルギー管理システムでは、第１の軸（横軸）を時間軸、この時間軸に直交する第２の軸（縦軸）をデータ軸とし、この時間軸とデータ軸とで示される直交平面上に単位期間毎に求められたエネルギーの使用量を時系列データとして画面にグラフ表示するようにしている（例えば、特許文献１参照）。
【０００４】
また、例えば特許文献２には、予めグループ分けした部署、ライン（生産ライン）、ラインの各工程、設備などの管理単位毎に、エネルギーの使用量を表示可能とするエネルギー管理システムが示されている。
【先行技術文献】
【特許文献】
【０００５】
【特許文献１】特許第４８９７９３６号公報
【特許文献２】特開２００１−３５６８１４号公報
【発明の概要】
【発明が解決しようとする課題】
【０００６】
しかしながら、従来のエネルギー管理システムでは、ユーザの操作性が悪く、グラフの詳細を簡易に確認することができないという問題があった。
【０００７】
例えば、より細部のエネルギーの使用量を見たくなることがかなりの頻度で発生する。例えば、以下のような要望が、顧客からなされることがある。
(１)建物全体のエネルギーの使用量の内訳を見たい。
(２)建物全体ではなく、１階だけのエネルギーの使用量を見たい。
(３)すべてのエネルギーの使用量ではなく、電気だけのエネルギーの使用量を見たい。
(４)全ての用途ではなく、照明だけのエネルギーの使用量を見たい。
【０００８】
従来のエネルギー管理システムでは、表示したい対象の計測ポイントを単純に表示する方法を取ることが多い。上述の特許文献２においても、見たい管理単位(組織)を選択し、更に、エネルギー種別（電気、ガス、エア、蒸気、水、等）を選択することで、管理単位毎のそれぞれのエネルギーの使用量のチェックを行うことができる（特許文献２の図３等参照）。
【０００９】
しかしながら、上記した（１）〜（４）のような、より細部のエネルギーの使用量のグラフを表示しようとすると、別の計測ポイントを用いた別のグラフとして作成する必要がある。このような方法だと、見たい見方の数の分、計測ポイントを準備し、グラフを作成しなければならない。その結果、グラフ作成のための工数が増える。また、グラフの数が膨大となった場合に目的のグラフにたどり着くことが難しくなる。
【００１０】
本発明は、このような課題を解決するためになされたもので、その目的とするところは、ユーザの操作性を向上させ、グラフの詳細を簡易に確認することが可能なグラフ表示装置および表示方法を提供することにある。
【課題を解決するための手段】
【００１１】
このような目的を達成するために本発明は、管理対象において使用されるエネルギーの管理項目を、少なくとも、第１の観点から分けた分類を第１の分類、第２の観点から分けた分類を第２の分類、第３の観点から分けた分類を第３の分類とし、第１の分類に属するエネルギーの管理項目と第２の分類に属するエネルギーの管理項目と第３の分類に属するエネルギーの管理項目とで特定される管理対象におけるエネルギーの計測対象を要素とし、この要素毎に保存されているエネルギーの使用量に関するデータをデータ記録装置（２００）から読み出し、その読み出したデータを処理してグラフ表示するグラフ表示装置（１００）であって、表示対象の条件が指定された場合、データ記録装置（２００）に保存されている要素毎のデータの内、指定された表示対象の条件により特定される複数組のデータ群のそれぞれを単位期間毎に処理し、この単位期間毎に処理した複数組のデータ群を時系列データとして識別可能にグラフ表示するグラフ表示手段（１）を備えることを特徴とする。
【００１２】
例えば、本発明において、管理対象において使用されるエネルギーの管理項目を第１の観点から分けた分類（第１の分類）を管理対象で使用される「エネルギーの種別」とし、第２の観点から分けた分類（第２の分類）を管理対象における「区画」とし、第３の観点から分けた分類（第３の分類）を管理対象における「エネルギーの用途」とする。この場合、第１の分類（エネルギーの種別）に属するエネルギーの管理項目としては、「電気」、「水」、「油」、「ガス」などが挙げられる。また、第２の分類（区画）に属するエネルギーの管理項目としては、建物の「１Ｆ」、「２Ｆ」、「３Ｆ」、「４Ｆ」などが挙げられる。第３の分類（エネルギーの用途）に属するエネルギーの管理項目としては、「空調」、「照明」、「給湯」などが挙げられる。
【００１３】
本発明において、分類を例えば３種類とした場合、データ記録装置には、第１の分類に属するエネルギーの管理項目（「電気」、「水」、「油」、「ガス」など）と、第２の分類に属するエネルギーの管理項目（「１Ｆ」、「２Ｆ」、「３Ｆ」、「４Ｆ」など）と、第３の分類に属するエネルギーの管理項目（「空調」、「照明」、「給湯」など）とで特定される管理対象におけるエネルギーの計測対象を要素とし、この要素毎のエネルギーの使用量に関するデータが保存されている。この場合、要素毎にエネルギーの使用量に関するデータの計測ポイント（メータなどの機器）を設けることになるが、この計測ポイントと設備機器との関係は、１対１とは限らず、１：Ｎの場合も当然あり得る。また、本発明において、計測ポイントは必ずしも要素毎に設けなくてもよく、計測ポイントが設けられていない要素があっても構わない。この場合、計測ポイントが設けられていない要素のデータ（実際に計測しないデータ）は、計測ポイントが設けられている要素のデータ（実際に計測したデータ）から計算を行って作成するようにするとよい。
【００１４】
本発明において、表示対象の条件が指定されると、データ記録装置に保存されている要素毎のデータの内、指定された表示対象の条件により特定される複数組のデータ群のそれぞれが単位期間毎に処理され、この単位期間毎に処理された複数組のデータ群が時系列データとして識別可能にグラフ表示される。例えば、表示対象の条件として、「エネルギーの種別」が指定されると、「電気」、「水」、「油」、「ガス」などのエネルギーの管理項目毎にデータがデータ記録装置から切り出され、この切り出されたエネルギーの管理項目毎のデータ群（複数組の計測データ群）のそれぞれが単位期間毎に処理され、この単位期間毎に処理されたエネルギーの管理項目毎（「電気」、「水」、「油」、「ガス」など）のデータ群が時系列データとして識別可能にグラフ表示される。
【００１５】
本発明では、単位期間毎に処理された複数組のデータ群を時系列データとして識別可能にグラフ表示させるが、そのグラフ表示の一例として、単位期間毎に処理された複数組のデータ群を積層表示させる方式が考えられる。すなわち、単位期間毎に処理された複数組のデータ群を時間軸とデータ軸とで示される直交平面上にデータ軸方向に積層したグラフとして表示することが考えられる。
【００１６】
なお、上記説明では、一例として、発明の構成要素に対応する図面上の構成要素を、括弧を付した参照符号によって示している。
【発明の効果】
【００１７】
以上説明したことにより、本発明によれば、表示対象の条件を指定すると、データ記録装置に要素毎に保存されているエネルギーの使用量に関するデータの内、指定された表示対象の条件により特定される複数組のデータ群のそれぞれが単位期間毎に処理され、この単位期間毎に処理された複数組のデータ群が時系列データとして識別可能にグラフ表示されるものとなり、ユーザの操作性が向上し、グラフの詳細を簡易に確認することが可能となる。
【図面の簡単な説明】
【００１８】
【図１】図１は、本発明の実施の形態に係るグラフ表示装置のハードウェア構成の概略を示す図である。
【図２】図２は、このグラフ表示装置における基本的な考え方を説明する図である。
【図３】図３は、第１の観点から分けられた分類（エネルギーの種別）に属するエネルギーの管理項目を示す図である。
【図４】図４は、第２の観点から分けられた分類（区画）に属するエネルギーの管理項目を示す図である。
【図５】図５は、第３の観点から分けられた分類（エネルギーの用途）に属するエネルギーの管理項目を示す図である。
【図６】図６は、ディスプレイに表示されるエネルギーグラフの初期画面を示す図である。
【図７】図７は、積層表示の内訳の項目において「エネルギーの種別」を選択した状態を示す図である。
【図８】図８は、積層表示の内訳の項目において「区画」を選択した状態を示す図である。
【図９】図９は、積層表示の内訳の項目において「エネルギーの用途」を選択した状態を示す図である。
【図１０】図１０は、本実施の形態のグラフ表示装置を含むシステムの要部の構成を示す図である。
【図１１】図１１は、表示対象の条件を「区画」、「エネルギーの種別」、「エネルギーの用途」で任意に絞り込んでグラフ表示する例を説明する図である。
【図１２】図１２は、管理対象全体のエネルギーの使用量をエネルギーの種別毎に積層した時系列グラフにおいて棒グラフの「ガス」の部分がクリックされたときの表示例を示す図である。
【図１３】図１３は、管理対象における「ガス」のエネルギーの使用量をエネルギーの用途毎に積層した時系列グラフにおいて棒グラフの「空調」の部分がクリックされたときの表示例を示す図である。
【発明を実施するための形態】
【００１９】
以下、本発明の実施の形態を図面に基づいて詳細に説明する。図１に本発明の実施の形態に係るグラフ表示装置１００のハードウェア構成の概略を示す。
【００２０】
このグラフ表示装置１００は、中央演算処理装置（ＣＰＵ）１０１と、ランダムアクセスメモリ（ＲＡＭ）１０２と、読み出し専用メモリ（ＲＯＭ）１０３と、ハードディスクなどの記憶装置１０４と、各種インタフェース１０５〜１０７とを備えたコンピュータからなり、周辺機器として、ディスプレイ１０８やキーボード１０９、マウス１１０などを備えている。
【００２１】
なお、本実施の形態において、コンピュータとは、デスクトップ型コンピュータ、ノートブック型コンピュータ、タブレット端末、スマートフォンなどの様々なコンピュータを意味する。また、ディスプレイ１０８としては、ＬＣＤ（Liquid Crystal Display）、ＣＲＴ（Cathode Ray Tube）、あるいは、その他の表示装置が用いられていてもよい。また、マウス１１０の代わりに、タッチパネル、タッチパッド、トラックボール、ペンタブレット、あるいは、その他のポインティングデバイスが用いられていてもよい。また、以下の説明において、「クリック」とはマウス１１０を用いた操作によるものである。図１には、コンピュータの一例として、ノート型のコンピュータ（ノート型パソコン）を用いた例を示している。
【００２２】
このグラフ表示装置１００には、本実施の形態特有のプログラムとして、エネルギーグラフ表示プログラムＰＧ１がインストールされている。このエネルギーグラフ表示プログラムＰＧ１は、例えばＣＤ−ＲＯＭなどの記録媒体に記録された状態で提供され、この記録媒体から読み出されて記憶装置１０４に記録され、使用可能な状態としてグラフ表示装置１００にインストールされている。
【００２３】
このグラフ表示装置１００において、ＣＰＵ１０１は、インターフェイス１０５〜１０７を介して与えられる各種入力情報を処理することで、ＲＡＭ１０２やＲＯＭ１０３、記憶装置１０４にアクセスしながら、グラフ表示装置１００にインストールされているエネルギーグラフ表示プログラムＰＧ１に従って動作する。
【００２４】
先ず、図２を用いて、このグラフ表示装置１００における基本的な考え方について説明する。図２では、全体の直方体ＣＢを管理対象となる１つの建物として捉えて、これを、Ｘ，Ｙ，Ｚの３軸それぞれに割り当てた観点によって、複数の要素に分割して行く。
【００２５】
例えば、図２において、Ｘ軸に割り当てた観点を第１の観点、Ｙ軸に割り当てた観点を第２の観点、Ｚ軸に割り当てた観点を第３の観点とし、管理対象において使用されるエネルギーの管理項目を第１の観点から分けた分類を第１の分類、第２の観点から分けた分類を第２の分類、第３の観点から分けた分類を第３の分類とする。また、第１の分類を管理対象で使用される「エネルギーの種別」とし、第２の分類を管理対象における「区画」とし、第３の分類を管理対象で使用される「エネルギーの用途」とする。
【００２６】
この場合、第１の分類（エネルギーの種別）に属するエネルギーの管理項目としては、「電気」、「水」、「油」、「ガス」などが挙げられる（図３参照）。第２の分類（区画）に属するエネルギーの管理項目としては、建物の「１Ｆ」、「２Ｆ」、「３Ｆ」、「４Ｆ」などが挙げられる（図４参照）。第３の分類（エネルギーの用途）に属するエネルギーの管理項目としては、「空調」、「照明」、「給湯」などが挙げられる（図５参照）。このエネルギーの管理項目の数だけ、直方体ＣＢにおけるＸ軸、Ｙ軸、Ｚ軸の方向への分割の数が増加して行くことになる。
【００２７】
この直方体ＣＢにおいて、第１の分類（エネルギーの種別）に属するエネルギーの管理項目と第２の分類（区画）に属するエネルギーの管理項目と第３の分類（エネルギーの用途）に属するエネルギーの管理項目とで特定される管理対象におけるエネルギーの計測対象を要素とする。例えば、図２に＃１として示した要素（細分化された直方体）は、「エネルギーの種別」に属するエネルギーの管理項目を「ガス」、「区画」に属するエネルギーの管理項目を「３Ｆ」、「エネルギーの用途」に属するエネルギーの管理項目を「空調」として特定される管理対象におけるエネルギーの計測対象を示している。
【００２８】
本実施の形態では、この直方体ＣＢの要素毎に計測されるエネルギーの使用量に関するデータを収集し、データ記録装置２００（図１参照）に保存して行くものとする。このデータ記録装置２００はグラフ表示装置１００にネットワークＮＷを介して接続されている。この場合、要素毎にエネルギーの使用量に関するデータの計測ポイント（図示せず）を設けるが、この計測ポイントと設備機器との関係は、１対１とは限らず、１：Ｎの場合も当然あり得る。図２に示した要素＃１について言えば、「３Ｆ」の「空調」について「ガス」のエネルギーの使用量を計測するポイント（メータなどの機器）を設け、この計測ポイントからのデータを収集し、データ記録装置２００に保存して行く。他の要素についても同様である。なお、データの収集は定周期で行う。
【００２９】
なお、本実施の形態において、計測ポイントは必ずしも要素毎に設けなくてもよく、計測ポイントが設けられていない要素があっても構わない。この場合、計測ポイントが設けられていない要素のデータ（実際に計測しないデータ）は、計測ポイントが設けられている要素のデータ（実際に計測したデータ）から計算を行って作成するようにする。データを計測するためには、計測ポイントとしてメータなどの機器が必要であり、それを増やすと「コスト増」となる。このため、今ある計測データから「計算」を行い、必要な計測データを計算から作成することがよくある。簡単な例だと、例えば３階建ての建物全体、１Ｆ、３Ｆのエネルギーの値が計測されていた場合、２Ｆのエネルギーの値は、「建物全体のエネルギー」−「１Ｆ＋３Ｆのエネルギー」のような計算で求める。
【００３０】
次に、エネルギーグラフ表示プログラムＰＧ１に従ってＣＰＵ１０１が実行する本実施の形態特有の処理動作について、図６〜図９を用いて説明する。
【００３１】
図６は、ディスプレイ１０８に表示されるエネルギーグラフの初期画面である。このエネルギーグラフの初期画面には、ナビゲーション領域Ｓ１と、グラフツールボタン領域Ｓ２と、グラフ設定領域Ｓ３と、グラフ表示領域Ｓ４とが表示される。
【００３２】
ナビゲーション領域Ｓ１において、所望の項目をクリックすると、所望の項目の画面へ移行する。グラフツールボタン領域Ｓ２では、表示されているツールボタンを用いて、グラフの表示やグラフデータの出力に関する操作を行う。グラフ設定領域Ｓ３では、グラフの表示条件を設定する。表示するグラフタイプによりグラフ設定領域Ｓ３での設定項目が異なる。グラフ表示領域Ｓ４には、グラフ設定領域Ｓ３において設定された表示条件で、エネルギーグラフが表示される。
【００３３】
図６では、グラフ設定領域Ｓ３中のグラフタイプの項目Ｓ３１において、棒グラフを選択している。この場合、グラフ設定領域Ｓ３には、建物・区画の項目Ｓ３２、期間の項目Ｓ３３、積層表示の内訳の項目Ｓ３４、単位の項目Ｓ３５、最大値・最小値の項目Ｓ３６が現れる。
【００３４】
本実施の形態において、積層表示の内訳の項目Ｓ３４は、プルダウンメニューとされている。このプルダウンメニューから積層表示の内訳を選択することによって、上述したＸ，Ｙ，Ｚの３軸に割り当てられている観点に従って、グラフ表示の変更を行うことが可能となる。
【００３５】
〔積層表示の内訳：「エネルギーの種別」〕
図７は、積層表示の内訳の項目Ｓ３４において、「エネルギーの種別」を選択した状態を示している。この例では、グラフタイプの項目Ｓ３１において「棒グラフ」を選択しており、建物・区画の項目Ｓ３２では管理対象として「Ａビル」を、期間の項目Ｓ３３では対象期間として「２０１６」（年）を、単位の項目Ｓ３５では「一次エネルギー換算（ＭＪ）」を設定している。
【００３６】
なお、この例では、期間の項目Ｓ３３において「年」を選択しているので、後述する単位期間が「月」とされる。期間の項目Ｓ２３において「月」を選択すれば、単位期間は「日」とされ、「日」を選択すれば、単位期間は「時間」とされる。また、期間の項目Ｓ３３では、比較期間を設定することも可能とされている。比較期間を設定すると、設定した比較期間のエネルギーグラフが並べて表示される。
【００３７】
ＣＰＵ１０１は、このグラフ設定領域Ｓ３に設定された表示条件に従って、グラフ表示領域Ｓ４にエネルギーグラフを表示する。この例では、積層表示の内訳の項目Ｓ３４において、表示対象の条件として「エネルギーの種別」が指定されている。このため、ＣＰＵ１０１は、「エネルギーの種別」に属するエネルギーの管理項目として「電気」、「水」、「油」、「ガス」のデータをデータ記録装置２００から切り出し、この切り出した「電気」、「水」、「油」、「ガス」のデータ群（複数組のデータ群）のそれぞれを単位期間（月）毎に集計する。そして、この単位期間毎に集計した「電気」、「水」、「油」、「ガス」のデータ群を、すなわち単位期間毎に集計した「電気」、「水」、「油」、「ガス」のエネルギーの使用量を、時系列データとして、グラフ表示領域Ｓ４に識別可能にグラフ表示する。
【００３８】
図７では、管理対象における１ヶ月毎の「電気」、「水」、「油」、「ガス」のエネルギーの使用量（一次エネルギー換算値）を、時間軸（横軸）とデータ軸（縦軸）とで示される直交平面上にデータ軸方向（縦方向）に積層した棒グラフとして表示（積層表示）させている。
【００３９】
なお、図７において、Ｅ１1は「電気」のエネルギーの使用量、Ｅ１2は「水」のエネルギーの使用量、Ｅ１3は「油」のエネルギーの使用量、Ｅ１4は「ガス」のエネルギーの使用量を示している。また、ラインＬ１は、管理対象全体のエネルギーの使用量の上限目標を示している。
【００４０】
〔積層表示の内訳：「区画」〕
図８は、積層表示の内訳の項目Ｓ３４において、「区画」を選択した状態を示している。この例においても、グラフタイプの項目Ｓ３１において「棒グラフ」を選択しており、建物・区画の項目Ｓ３２では管理対象として「Ａビル」を、期間の項目Ｓ３３では対象期間として「２０１６」（年）を、単位の項目Ｓ３５では「一次エネルギー換算（ＭＪ）」を設定している。
【００４１】
ＣＰＵ１０１は、このグラフ設定領域Ｓ３に設定された表示条件に従って、グラフ表示領域Ｓ４にエネルギーグラフを表示する。この例では、積層表示の内訳の項目Ｓ３４において、表示対象の条件として「区画」が指定されている。このため、ＣＰＵ１０１は、「区画」に属するエネルギーの管理項目として「１Ｆ」、「２Ｆ」、「３Ｆ」、「４Ｆ」のデータをデータ記録装置２００から切り出し、この切り出した「１Ｆ」、「２Ｆ」、「３Ｆ」、「４Ｆ」のデータ群（複数組のデータ群）のそれぞれを単位期間（月）毎に集計する。そして、この単位期間毎に集計した「１Ｆ」、「２Ｆ」、「３Ｆ」、「４Ｆ」のデータ群を、すなわち単位期間毎に集計した「１Ｆ」、「２Ｆ」、「３Ｆ」、「４Ｆ」のエネルギーの使用量を、時系列データとして、グラフ表示領域Ｓ４に識別可能にグラフ表示する。
【００４２】
図８では、管理対象における１ヶ月毎の「１Ｆ」、「２Ｆ」、「３Ｆ」、「４Ｆ」のエネルギーの使用量（一次エネルギー換算値）を、時間軸（横軸）とデータ軸（縦軸）とで示される直交平面上にデータ軸方向（縦方向）に積層した棒グラフとして表示（積層表示）させている。
【００４３】
なお、図８において、Ｅ２1は「１Ｆ」のエネルギーの使用量、Ｅ２2は「２Ｆ」のエネルギーの使用量、Ｅ２3は「３Ｆ」のエネルギーの使用量、Ｅ２4は「４Ｆ」のエネルギーの使用量を示している。また、ラインＬ２は、管理対象全体のエネルギーの使用量の上限目標を示している。
【００４４】
〔積層表示の内訳：「エネルギーの用途」〕
図９は、積層表示の内訳の項目Ｓ３４において、「エネルギーの用途」を選択した状態を示している。この例では、グラフタイプの項目Ｓ３１において「棒グラフ」を選択しており、建物・区画の項目Ｓ３２では管理対象として「Ａビル」を、期間の項目Ｓ３３では対象期間として「２０１６」（年）を、単位の項目Ｓ３５では「一次エネルギー換算（ＭＪ）」を設定している。
【００４５】
ＣＰＵ１０１は、このグラフ設定領域Ｓ３に設定された表示条件に従って、グラフ表示領域Ｓ４にエネルギーグラフを表示する。この例では、積層表示の内訳の項目Ｓ３４において、表示対象の条件として「エネルギーの用途」が指定されている。このため、ＣＰＵ１０１は、「エネルギーの用途」に属するエネルギーの管理項目として「空調」、「照明」、「給湯」のデータをデータ記録装置２００から切り出し、この切り出した「空調」、「照明」、「給湯」のデータ群（複数組のデータ群）のそれぞれを単位期間（月）毎に集計する。そして、この単位期間毎に集計した「空調」、「照明」、「給湯」のデータ群を、すなわち単位期間毎に集計した「空調」、「照明」、「給湯」のエネルギーの使用量を、時系列データとして、グラフ表示領域Ｓ４に識別可能にグラフ表示する。
【００４６】
図９では、管理対象における１ヶ月毎の「空調」、「照明」、「給湯」のエネルギーの使用量（一次エネルギー換算値）を、時間軸（横軸）とデータ軸（縦軸）とで示される直交平面上にデータ軸方向（縦方向）に積層した棒グラフとして表示させている。
【００４７】
なお、図９において、Ｅ３1は「空調」のエネルギーの使用量、Ｅ３2は「照明」のエネルギーの使用量、Ｅ３3は「給湯」のエネルギーの使用量を示している。また、ラインＬ３は、管理対象全体のエネルギーの使用量の上限目標を示している。
【００４８】
このように、本実施の形態では、グラフ設定領域Ｓ３における積層表示の内訳の項目Ｓ３４において、表示対象の条件として「エネルギーの種別」を指定したり、「区画」を指定したり、「エネルギーの用途」を指定すると、データ記録装置２００に保存されている要素毎のデータの内、指定された表示対象の条件により特定される複数組のデータ群のそれぞれが単位期間毎に集計され、この単位期間毎に集計された複数組のデータ群が時系列データとして積層表示されるものとなる。これにより、ユーザの操作性が向上し、グラフの詳細を簡易に確認することができるようになる。
【００４９】
なお、先に示した特許文献２は、予めエネルギーの種別を選択した上でグラフ表示を行うものであり、例えば、「電気」と「ガス」といったエネルギーの使用量を同時に確認することができない（特許文献２の段落〔００４２〕、図３、図４参照）。これに対して、本実施の形態では、ユーザの指定した観点によって切り出しを行い、単位期間毎に集計した複数組のデータ群を時系列データとして時間軸とデータ軸とで示される直交平面上に積層表示するようにしているので、各観点毎にその観点から分けられた分類に属するエネルギーの管理項目毎のエネルギーの使用量の割合を容易に把握することが可能となる。
【００５０】
図１０に、本実施の形態のグラフ表示装置１００を含むシステムの要部の構成を示す。このシステムは、グラフ表示装置１００と、データ記録装置２００と、計測データ収集装置３００と、データ転送装置４００とを備えている。この構成において、グラフ表示装置１００は、ＣＰＵ１０１の処理機能としてグラフ表示部１を備えている。
【００５１】
計測データ収集装置３００は、第１の分類（エネルギーの種別）に属するエネルギーの管理項目（「電気」、「水」、「油」、「ガス」など）と第２の分類（区画）に属するエネルギーの管理項目（「１Ｆ」、「２Ｆ」、「３Ｆ」、「４Ｆ」など）と第３の分類（エネルギーの用途）に属するエネルギーの管理項目（「空調」、「照明」、「給湯」など）とで特定される管理対象におけるエネルギーの計測対象を要素とし、この要素毎に計測されるエネルギーの使用量に関するデータ（計測ポイントからのデータ）を収集する。
【００５２】
データ記録装置２００には、計測データ収集装置３００によって収集された要素毎のデータが保存される。なお、計測データ収集装置３００は、計測ポイントが設けられている要素のデータ（実際に計測したデータ）を収集し、データ記録装置２００に保存して行くが、計測ポイントが設けられていない要素のデータ（実際に計測しないデータ）については、計測ポイントが設けられている要素のデータ（実際に計測したデータ）から計算を行って作成し、データ記録装置２００に保存するようにする。
【００５３】
グラフ表示装置１００において、グラフ表示部１は、表示対象の条件が指定された場合、データ記録装置２００に保存されている要素毎のデータの内、指定された表示対象の条件により特定される複数組のデータ群をデータ転送装置４００を介して取得し、その取得した複数組のデータ群のそれぞれを単位期間毎に集計し、この単位期間毎に集計した複数組のデータ群を時系列データとして積層表示する。
【００５４】
例えば、表示対象の条件として「エネルギーの種別」が指定されると、グラフ表示部１は、「エネルギーの種別」に属する「電気」、「水」、「油」、「ガス」などのエネルギーの管理項目毎のデータをデータ記録装置２００から切り出し、この切り出したエネルギーの管理項目毎のデータ群のそれぞれを単位期間毎に集計し、この単位期間毎に集計したエネルギーの管理項目毎のデータ群を時系列データとして積層表示する。
【００５５】
例えば、表示対象の条件として「区画」が指定されると、グラフ表示部１は、「区画」に属する「１Ｆ」、「２Ｆ」、「３Ｆ」、「４Ｆ」などのエネルギーの管理項目毎のデータをデータ記録装置２００から切り出し、この切り出したエネルギーの管理項目毎のデータ群のそれぞれを単位期間毎に集計し、この単位期間毎に集計したエネルギーの管理項目毎のデータ群を時系列データとして積層表示する。
【００５６】
例えば、表示対象の条件として「エネルギーの用途」が指定されると、グラフ表示部１は、「エネルギーの用途」に属する「空調」、「照明」、「給湯」などのエネルギーの管理項目毎のデータをデータ記録装置２００から切り出し、この切り出したエネルギーの管理項目毎のデータ群のそれぞれを単位期間毎に集計し、この単位期間毎に集計したエネルギーの管理項目毎のデータ群を時系列データとして積層表示する。
【００５７】
なお、上述した実施の形態では、表示対象の条件を「エネルギーの種別」としたり、「区画」としたり、「エネルギーの用途」としたが、これに限られるものではない。例えば、「区画」、「エネルギーの種別」、「エネルギーの用途」で任意に絞り込んで、グラフ表示するように構成してもよい。
【００５８】
例えば、「区画」として「１Ｆ」、「３Ｆ」、「４Ｆ」を選択し、「エネルギーの種別」として「電気」、「ガス」を選択し、「エネルギーの種別」として「空調」を選択し、積層表示の内訳を「エネルギーの種別」とし、これを表示対象の条件とする。
【００５９】
この場合、その表示対象の条件により特定される「１Ｆ」、「３Ｆ」、「４Ｆ」／「空調」／「電気」のデータ群を第１のデータ群（図１１（ａ）に示すＤ１）とし、「１Ｆ」、「３Ｆ」、「４Ｆ」／「空調」／「ガス」のデータ群を第２のデータ群（図１１（ａ）に示すＤ２）とし、第１のデータ群Ｄ１および第２のデータ群Ｄ２のそれぞれを単位期間毎に集計し、この単位期間毎に集計した第１のデータ群Ｄ１および第２のデータ群Ｄ２を時系列データとして積層表示するようにする（図１１（ｂ）参照）。
【００６０】
また、管理対象全体のエネルギーの使用量をエネルギーの種別毎（「電気」、「水」、「油」、「ガス」など）に積層した時系列グラフで表示している時に（図１２（ａ）参照）、例えば積層して表示されている棒グラフの「ガス」の部分をクリックすると、積層表示の内訳が「エネルギーの用途」となり、管理対象における「ガス」のエネルギーの使用量をエネルギーの用途毎（「空調」、「照明」、「給湯」など）に積層した時系列グラフが表示されるようにしてもよい（図１２（ｂ）参照）。
【００６１】
さらに、この管理対象における「ガス」のエネルギーの使用量をエネルギーの用途毎に積層した時系列グラフにおいて、例えば積層して表示されている棒グラフの「空調」の部分をクリックすると（図１３（ａ）参照）、積層表示の内訳が「区画」となり、「空調」に使用された「ガス」のエネルギーの使用量を区画毎（「１Ｆ」、「２Ｆ」、「３Ｆ」、「４Ｆ」など）に積層した時系列グラフが表示されるようにしてもよい（図１３（ｂ）参照）。
【００６２】
なお、図１２に示した例では、棒グラフの「ガス」の部分がクリックされた場合、積層表示の内訳が「エネルギーの用途」となるものとしたが、「区画」になるものとしてもよい。この場合、どちらに変わるかは、予めユーザが指定しておけばよい。
【００６３】
また、別の例として、積層表示されたグラフの棒の部分をクリックすると、積層表示の内訳が円グラフで表示されるようにしてもよい。例えば、２０１６年度の管理対象全体のエネルギーのグラフで、２０１６年４月のグラフの棒の部分をクリックすると、２０１６年４月のエネルギーの種別（「電気」、「水」、「油」、「ガス」など）の円グラフが表示されるようにする。
【００６４】
また、上述した実施の形態では、管理対象において使用されるエネルギーの管理項目を第１の観点から分けた分類を「エネルギーの種別」とし、第２の観点から分けた分類を「区画」とし、第３の観点から分けた分類を「エネルギーの用途」としたが、これに限られるものではなく、他の観点から分けた分類としてもよい。
【００６５】
また、上述した実施の形態では、表示対象の条件が指定された場合、データ記録装置２００に保存されている要素毎のデータの内、指定された表示対象の条件により特定される複数組のデータ群のそれぞれを単位期間毎に集計するようにしたが、この単位期間毎に行う処理は必ずしも集計でなくてもよく、単位期間毎の平均値を求めるような処理であっても構わない。
【００６６】
また、上述した実施の形態では、管理対象において使用されるエネルギーの管理項目を３つの観点から３つの分類（「エネルギーの種別」、「区画」、「エネルギーの用途」）に分けたが、３種類の分類に限られるものではなく、さらにその分類を増やしてもよい。
【００６７】
例えば、第４の観点からの分類（第４の分類）として、「計測方法」という分類が考えられる。具体的には、「按分」か「非按分」である。例えば、各建物のフロアは、電気のコンセントはフロアを８分割（８つの計測ポイント）、空調は、フロアを４分割（４つの計測ポイント）として計測しているものとする。
【００６８】
この場合、もし「区画」の最小単位を「フロアを８分割」したものだとすると、上記の例の場合「空調はフロアを４分割」であるため「更に２分割」する必要がある。具体的には、空調の４つしかない計測ポイントのデータを「按分」することで、仮想的に「各最小区間毎に８つの計測ポイント」があるかのごとく扱う。
【００６９】
これに伴い、電気の場合は、すでに各区画毎に１ポイントずつポイントがあり（⇒非按分ポイント）、空調の場合は、按分して作られたポイントを各区画に割り振る（⇒按分ポイント）として、計測ポイントを区別する。
【００７０】
按分から非按分かの違いは、次のような点を挙げることができる。
〔按分されたポイント〕
・按分の計算式が本当にその「区画」で使われたエネルギーを表すことができるか難しい（計算式にするのは難しく、実際はフロア面積などの比率で按分してしまう。）。
・按分された計測ポイントのエネルギーについて、省エネルギー（省エネ）対策をしたとしても、他の区画を利用している人たちが一緒に省エネ対策を実施しないと、効果が見えにくい。
〔非按分のポイント〕
・按分計算されていないため、コンセントなどの計測値を直接利用できる。
・その区画の利用者が省エネを頑張れば、直接計測値に反映されるため、省エネ効果が出やすい。
【００７１】
このような「第４の分類」は、例えば、テナントのエネルギー管理において利用される。例えば、テナントに対する貸し付ける区画の分け方が小さく、空調は複数の区画をまとめて１つの空調機で管理している場合などに利用される。
【００７２】
〔実施の形態の拡張〕
以上、実施の形態を参照して本発明を説明したが、本発明は上記の実施の形態に限定されるものではない。本発明の構成や詳細には、本発明の技術思想の範囲内で当業者が理解し得る様々な変更をすることができる。
【符号の説明】
【００７３】
１…グラフ表示部、Ｓ３…グラフ設定領域、グラフ表示領域Ｓ４、Ｓ３４…積層表示の内訳の項目、１００…グラフ表示装置、１０１…ＣＰＵ、１０２…ＲＡＭ、１０３…ＲＯＭ、１０４…記憶装置、１０５〜１０７…インターフェイス、１０８…ディスプレイ、１０９…キーボード、１１０…マウス、２００…データ記録装置、３００…計測データ収集装置、４００…データ転送装置。
【図１】
2018049509.tif 000003
【図２】
2018049509.tif 000004
【図３】
2018049509.tif 000005
【図４】
2018049509.tif 000006
【図５】
2018049509.tif 000007
【図６】
2018049509.tif 000008
【図７】
2018049509.tif 000009
【図８】
2018049509.tif 000010
【図９】
2018049509.tif 000011
【図１０】
2018049509.tif 000012
【図１１】
2018049509.tif 000013
【図１２】
2018049509.tif 000014
【図１３】
2018049509.tif 000015